(57)【要約】【課題】既存のシステムを利用して簡易に情報の書き込みができる情報書込プログラム及び情報書込システムを提供する。【解決手段】ＳＮＳのウェブページに投稿するための情報書込プログラム２２ｂは、携帯端末２を、ウェブページに対して通信ネットワークＮを介して接続可能な公衆端末４のＲ／Ｗ部４９からの要求を受け付ける要求受付手段と、要求に受け付けたことに応じて、携帯端末２に着脱可能に装着された外部メモリ１が記憶するＳＮＳのＡＰＩのＵＲＩと、携帯端末２の利用者のＳＮＳのウェブページに投稿するためのログイン情報と、投稿内容情報とを含む投稿用データを、外部メモリ１から読み出す記憶媒体読出手段と、読み出された投稿用データをＲ／Ｗ部４９に出力する情報出力手段として機能させる。【選択図】図１
2014130472.tif 000002
【特許請求の範囲】
【請求項１】
ＳＮＳ（Ｓｏｃｉａｌ  Ｎｅｔｗｏｒｋｉｎｇ  Ｓｅｒｖｉｃｅ）のウェブページに投稿するための情報書込プログラムであって、
携帯端末は、前記ウェブページに対して通信ネットワークを介して接続可能であり公衆利用が可能な公衆端末のリーダ部に近づけた状態で、前記リーダ部との間で近距離通信をするためのアンテナを備え、
コンピュータである前記携帯端末を、
前記リーダ部からの要求を受け付ける要求受付手段と、
前記要求受付手段により要求に受け付けたことに応じて、前記携帯端末に着脱可能に装着された記憶媒体が記憶する前記ＳＮＳへの接続先情報と、前記携帯端末の利用者の前記ＳＮＳのウェブページに投稿するためのログイン情報と、投稿内容情報とを含むＳＮＳ用情報を、前記記憶媒体から読み出す記憶媒体読出手段と、
前記記憶媒体読出手段により読み出された前記ＳＮＳ用情報を前記リーダ部に出力する情報出力手段と、
して機能させるための情報書込プログラム。
【請求項２】
請求項１に記載の情報書込プログラムにおいて、
前記携帯端末を、
前記利用者に前記ＳＮＳ用情報の入力をさせるための情報入力用画面データを出力する画面出力手段と、
前記画面出力手段により出力された情報入力画面データに基づいて入力された前記ＳＮＳ用情報を、前記記憶媒体に書き込む記憶媒体書込手段と、
して機能させること、
を特徴とする情報書込プログラム。
【請求項３】
請求項２に記載の情報書込プログラムにおいて、
前記記憶媒体書込手段を、前記ＳＮＳ用情報のうち少なくとも前記ログイン情報を、前記記憶媒体のセキュアな領域に書き込みように機能させること、
を特徴とする情報書込プログラム。
【請求項４】
請求項２又は請求項３に記載の情報書込プログラムにおいて、
前記記憶媒体書込手段を、複数の前記ＳＮＳのウェブページの各々に対して、前記ＳＮＳ用情報を前記記憶媒体に書き込むように機能させること、
を特徴とする情報書込プログラム。
【請求項５】
請求項１から請求項４までのいずれかに記載の情報書込プログラムを記憶する記憶部を備える前記携帯端末と、
前記ＳＮＳのウェブページに対して通信ネットワークを介して接続可能な前記公衆端末と、
を備え、
前記公衆端末は、
前記携帯端末が出力した前記ＳＮＳ用情報を受信する受信部と、
前記受信部が受信した前記ＳＮＳ用情報に対応する前記ＳＮＳに対して接続し、前記投稿内容情報を前記利用者の前記ＳＮＳのウェブページに投稿させる外部ＡＰＩ実行指令部と、
を有すること、
を特徴とする情報書込システム。
【請求項６】
請求項５に記載の情報書込システムにおいて、
前記携帯端末は、前記情報書込プログラムを、前記記憶媒体にインストールさせるプログラム記憶制御部を備えること、
を特徴とする情報書込システム。
【請求項７】
請求項５又は請求項６に記載の情報書込システムにおいて、
前記公衆端末は、前記公衆端末の設置位置情報を記憶する記憶部を備え、
前記外部ＡＰＩ実行指令部は、前記投稿内容情報と、前記設置位置情報とを、前記利用者の前記ＳＮＳのウェブページに投稿させること、
を特徴とする情報書込システム。
【請求項８】
請求項５から請求項７までのいずれかに記載の情報書込システムにおいて、
前記携帯端末及び前記公衆端末の各々は、ＮＦＣ（Ｎｅａｒ  Ｆｉｅｌｄ  Ｃｏｍｍｕｎｉｃａｔｉｏｎ）チップを備え、
前記携帯端末と前記公衆端末との間の通信は、前記ＮＦＣチップを用いること、
を特徴とする情報書込システム。
【発明の詳細な説明】
【技術分野】
【０００１】
本発明は、ＳＮＳ（Ｓｏｃｉａｌ  Ｎｅｔｗｏｒｋｉｎｇ  Ｓｅｒｖｉｃｅ）のウェブページに情報を書き込むための情報書込プログラム及び情報書込システムに関する。
【背景技術】
【０００２】
従来、災害発生時における個人の安否情報を公開するシステムがあった（例えば、特許文献１）。このシステムでは、非接触ＩＣ（Ｉｎｔｅｇｒａｔｅｄ  Ｃｉｒｃｕｉｔ）カードを、情報端末のカードリーダが読み取って、情報公開サーバに非接触ＩＣカードの利用者の安否情報を公開する。
【先行技術文献】
【特許文献】
【０００３】
【特許文献１】特開２００８−１０２６５６号公報
【発明の概要】
【発明が解決しようとする課題】
【０００４】
上述の特許文献は、情報公開サーバを予め構築するものであり、非接触ＩＣカードの利用者の識別情報や自己安否情報を公開することに事前に同意しているか否かという公開同意有無情報を、情報公開サーバに保存しておく必要があった。よって、上述の特許文献は、システムの構築が必要であり、しかも、システムの管理及び維持に手間がかかるものであった。
【０００５】
そこで、本発明は、既存のシステムを利用して簡易に情報の書き込みができる情報書込プログラム及び情報書込システムを提供することを目的とする。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、ＳＮＳのウェブページに投稿するための情報書込プログラム（２２ｂ）であって、携帯端末（２，２０２Ｂ）は、前記ウェブページに対して通信ネットワーク（Ｎ）を介して接続可能であり公衆利用が可能な公衆端末（４）のリーダ部（４９）に近づけた状態で、前記リーダ部との間で近距離通信をするためのアンテナ（２６）を備え、コンピュータである前記携帯端末を、前記リーダ部からの要求を受け付ける要求受付手段と、前記要求受付手段により要求に受け付けたことに応じて、前記携帯端末に着脱可能に装着された記憶媒体（１）が記憶する前記ＳＮＳへの接続先情報と、前記携帯端末の利用者の前記ＳＮＳのウェブページに投稿するためのログイン情報と、投稿内容情報とを含むＳＮＳ用情報を、前記記憶媒体から読み出す記憶媒体読出手段と、前記記憶媒体読出手段により読み出された前記ＳＮＳ用情報を前記リーダ部に出力する情報出力手段と、して機能させるための情報書込プログラムである。
第２の発明は、第１の発明の情報書込プログラム（２２ｂ）において、前記携帯端末（２，２０２Ａ）を、前記利用者に前記ＳＮＳ用情報の入力をさせるための情報入力用画面データを出力する画面出力手段と、前記画面出力手段により出力された情報入力画面データに基づいて入力された前記ＳＮＳ用情報を、前記記憶媒体（１）に書き込む記憶媒体書込手段と、して機能させること、を特徴とする情報書込プログラムである。
第３の発明は、第２の発明の情報書込プログラム（２２ｂ）において、前記記憶媒体書込手段を、前記ＳＮＳ用情報のうち少なくとも前記ログイン情報を、前記記憶媒体（１）のセキュアな領域に書き込みように機能させること、を特徴とする情報書込プログラムである。
第４の発明は、第２の発明又は第３の発明の情報書込プログラム（２２ｂ）において、前記記憶媒体書込手段を、複数の前記ＳＮＳのウェブページの各々に対して、前記ＳＮＳ用情報を前記記憶媒体（１）に書き込むように機能させること、を特徴とする情報書込プログラムである。
【０００８】
第５の発明は、第１の発明から第４の発明までのいずれかの情報書込プログラム（２２ｂ）を記憶する記憶部（２２）を備える前記携帯端末（２，２０２Ｂ）と、前記ＳＮＳのウェブページに対して通信ネットワーク（Ｎ）を介して接続可能な前記公衆端末（４）と、を備え、前記公衆端末は、前記携帯端末が出力した前記ＳＮＳ用情報を受信する受信部（４０ａ）と、前記受信部が受信した前記ＳＮＳ用情報に対応する前記ＳＮＳに対して接続し、前記投稿内容情報を前記利用者の前記ＳＮＳのウェブページに投稿させる外部ＡＰＩ実行指令部（４０ｂ）と、を有すること、を特徴とする情報書込システム（１００，２００）である。
第６の発明は、第５の発明の情報書込システム（２００）において、前記携帯端末（２０２Ａ）は、前記情報書込プログラム（２２ｂ）を、前記記憶媒体（２０１）にインストールさせるプログラム記憶制御部を備えること、を特徴とする情報書込システムである。
第７の発明は、第５の発明又は第６の発明の情報書込システム（１００，２００，３００）において、前記公衆端末（４，３０４）は、前記公衆端末の設置位置情報を記憶する記憶部（４２）を備え、前記外部ＡＰＩ実行指令部（４０ｂ）は、前記投稿内容情報と、前記設置位置情報とを、前記利用者の前記ＳＮＳのウェブページに投稿させること、を特徴とする情報書込システムである。
第８の発明は、第５の発明から第７の発明までのいずれかの情報書込システム（１００，２００）において、前記携帯端末（２，２０２Ｂ）及び前記公衆端末（４）の各々は、ＮＦＣ（Ｎｅａｒ  Ｆｉｅｌｄ  Ｃｏｍｍｕｎｉｃａｔｉｏｎ）チップを備え、前記携帯端末と前記公衆端末との間の通信は、前記ＮＦＣチップを用いること、を特徴とする情報書込システムである。
【発明の効果】
【０００９】
本発明によれば、既存のシステムを利用して簡易に情報の書き込みができる情報書込プログラム及び情報書込システムを提供することができる。
【図面の簡単な説明】
【００１０】
【図１】第１実施形態に係る情報書込システムの全体構成を示す図である。
【図２】第１実施形態に係る外部メモリ、携帯端末、公衆端末及びＳＮＳサーバの機能ブロックを示す図である。
【図３】第１実施形態に係る携帯端末の制御部の機能ブロックを示す図及びソフトウェアの構造を説明するための図である。
【図４】第１実施形態に係る情報書込システムの事前処理のフローチャートである。
【図５】第１実施形態に係る外部メモリのセキュアチップ部に記憶する内容を説明するための図である。
【図６】第１実施形態に係る情報書込システムの情報書込処理のフローチャートである。
【図７】図６の続きである。
【図８】第２実施形態に係る情報書込システムの全体構成を示す図である。
【図９】第２実施形態に係る情報書込システムの事前処理のフローチャートである。
【図１０】第２実施形態に係る情報書込システムの情報書込処理のフローチャートである。
【図１１】図１０の続きである。
【図１２】第３実施形態に係る情報書込システムの全体構成を示す図である。
【図１３】第３実施形態に係る情報書込システムの情報書込処理のフローチャートである。
【発明を実施するための形態】
【００１１】
以下、本発明を実施するための形態について、図を参照しながら説明する。なお、これは、あくまでも一例であって、本発明の技術的範囲はこれに限られるものではない。
（第１実施形態）
図１は、第１実施形態に係る情報書込システム１００の全体構成を示す図である。
図２は、第１実施形態に係る外部メモリ１、携帯端末２、公衆端末４及びＳＮＳサーバ６の機能ブロックを示す図である。
図３は、第１実施形態に係る携帯端末２の制御部２０の機能ブロックを示す図及びソフトウェアの構造を説明するための図である。
【００１２】
図１に示すように、情報書込システム１００は、携帯端末２と、公衆端末４とを用いてＳＮＳ（Ｓｏｃｉａｌ  Ｎｅｔｗｏｒｋｉｎｇ  Ｓｅｒｖｉｃｅ）サーバ６に投稿するシステムである。各利用者が携行する外部メモリ１（記憶媒体）を装着した携帯端末２と、公衆端末４とが近距離無線通信をすることで、外部メモリ１の投稿用データ（ＳＮＳ用情報）が携帯端末２から公衆端末４に送信される。そして、公衆端末４は、ＳＮＳサーバ６に接続して、投稿用データを用いてＳＮＳ（交流サイト）の利用者のウェブページに投稿（書き込み）をする。
この投稿は、例えば、各利用者の安否に関するものである。利用者は、地震や洪水等の災害時等に、携帯端末２の携帯端末通信網による通信が使えなかったり、使いづらかったりした場合であっても、携帯端末２の近距離無線通信を用いることで、安否情報をＳＮＳの利用者のウェブページに投稿することができる。そして、利用者の安否を知りたい者は、ＳＮＳの利用者のウェブページを見て安否を確認できる。
【００１３】
情報書込システム１００は、外部メモリ１と、携帯端末２と、公衆端末４と、ＳＮＳサーバ６とを備える。公衆端末４と、ＳＮＳサーバ６とは、インターネット等の通信ネットワークＮを介して通信可能になっている。また、携帯端末２と、ＳＮＳサーバ６とは、災害時等を除く平常時には、通信ネットワークＮを介して接続可能になっている。
外部メモリ１は、携帯端末２に着脱可能な記憶媒体であり、例えば、ｍｉｃｒｏＳＤ（ｍｉｃｒｏ  Ｓｅｃｕｒｅ  Ｄｉｇｉｔａｌ）メモリカードである。外部メモリ１は、ＳＤ  Ａｓｓｏｃｉａｔｉｏｎ（ＳＤアソシエーション）の規格と、接触型ＩＣカードのＩＳＯ／ＩＥＣ  ７８１６の規格との双方に準拠しており、セキュアチップ部１２とのコマンド送受信は、ＩＳＯ／ＩＥＣ  ７８１６に準拠する。外部メモリ１は、上述の規格に基づいたコマンドの送受信を、携帯端末２との間で行う。通常は、外部メモリ１は、携帯端末２に装着された状態で使用され、電話帳データや画像データ等を記憶できる。
【００１４】
図２に示すように、外部メモリ１は、制御部１０と、セキュアチップ部１２と、フラッシュメモリ部１４とを備える。
制御部１０は、携帯端末２との通信を制御する。また、制御部１０は、外部メモリ１の各記憶部へのアクセスを制御する。
セキュアチップ部１２は、外部からの攻撃や侵入、盗聴、改ざん等の危険の無いように技術的に保護されたセキュアな記憶部である。
フラッシュメモリ部１４は、データの消去及び書き込みを自由に行うことができ、電源を切っても内容が消えない半導体メモリ等の記憶部である。
【００１５】
携帯端末２は、各利用者が携行する携帯情報端末であり、例えば、スマートフォン等の多機能型携帯電話機である。
図２に示すように、携帯端末２は、制御部２０と、記憶部２２と、タッチパネルディスプレイ２４と、ＮＦＣ（Ｎｅａｒ  Ｆｉｅｌｄ  Ｃｏｍｍｕｎｉｃａｔｉｏｎ）チップ２５と、ＮＦＣ用アンテナ２６と、スロット部２７と、通信Ｉ／Ｆ（インタフェース）部２８とを備える。
制御部２０は、携帯端末２の全体を制御する中央処理装置（ＣＰＵ）である。制御部２０は、記憶部２２に記憶されているオペレーティングシステム（ＯＳ２２ａ、図３参照）や、各種のアプリケーションプログラムを適宜読み出して実行することにより、上述したハードウェアと協働し、各種機能を実行する。
【００１６】
図３（ａ）に示すように、制御部２０は、要求受付部２０ａ（要求受付手段）と、メモリ読出部２０ｂ（記憶媒体読出手段）と、ＮＦＣ出力部２０ｃ（情報出力手段）と、画面出力部２０ｄ（画面出力手段）と、メモリ書込部２０ｅ（記憶媒体書込手段）とを備える。
要求受付部２０ａは、ＮＦＣ用アンテナ２６を介して公衆端末４からの要求を受け付ける制御部である。
メモリ読出部２０ｂは、外部メモリ１に記憶されている投稿用データを読み出す制御部である。
ＮＦＣ出力部２０ｃは、ＮＦＣチップ２５に投稿用データを出力する制御部である。
画面出力部２０ｄは、投稿用データを利用者に入力させるための事前登録用の画面データ（情報入力用画面データ）を、タッチパネルディスプレイ２４に出力する制御部である。
メモリ書込部２０ｅは、画面出力部２０ｄにより入力された投稿用データを、外部メモリ１に書き込む制御部である。
これらの各機能の詳細については、後述する。
【００１７】
図２に戻り、記憶部２２は、携帯端末２の動作に必要なプログラム、データ等を記憶するための半導体メモリ素子等の記憶装置である。
図３（ｂ）は、記憶部２２に記憶されているソフトウェアの構造を示す。
携帯端末２は、ハードウェアを直接制御するソフトウェアとしてＯＳ２２ａを搭載している。そして、情報書込プログラム２２ｂと、プログラム２３（２３ａ、・・・、２３ｘ）とが、土台であるＯＳ２２ａの上で実行される。ＯＳ２２ａは、情報書込プログラム２２ｂと、プログラム２３とに共通して利用される基本的な機能を提供するマルチアプリケーションＯＳである。情報書込プログラム２２ｂは、外部メモリ１に投稿用データを書き込んだり、外部メモリ１から投稿用データを読み出して、近距離無線通信により公衆端末４に送信したりするためのアプリケーションプログラムである。プログラム２３は、例えば、ゲームや、乗り換え案内を行うもの、地図を起動するもの等の各種のアプリケーションプログラムである。
【００１８】
図２に戻り、タッチパネルディスプレイ２４は、液晶パネル等で構成される表示部としての機能と、利用者からの指等によるタッチ入力を検出する入力部としての機能とを有する。
ＮＦＣチップ２５は、ＮＦＣの規格により作成されたＩＣ（Ｉｎｔｅｇｒａｔｅｄ  Ｃｉｒｃｕｉｔ）チップである。ＮＦＣの規格（ＩＳＯ／ＩＥＣ１８０９２（ＮＦＣ  ＩＰ−１）、ＩＳＯ／ＩＥＣ２１４８１（ＮＦＣ  ＩＰ−２））では、１３．５６ＭＨｚの電磁波を使い、１００ｍｍ程度の至近距離でデータ通信を行う近距離無線通信が可能である。ＮＦＣチップ２５は、ＮＦＣ規格に準じてＮＦＣ用アンテナ２６により、公衆端末４との間で近距離無線通信を行う。
ＮＦＣ用アンテナ２６は、ループアンテナである。ＮＦＣ用アンテナ２６は、公衆端末４と携帯端末２との間で通信をするためのものである。
スロット部２７は、携帯端末２に着脱可能な外部メモリ１を装着するための部材である。
通信Ｉ／Ｆ部２８は、通信ネットワークＮを介した通信を行うためのインタフェース部である。通信Ｉ／Ｆ部２８は、平常時に、利用者がＳＮＳサーバ６等にアクセスする際に用いられる。
【００１９】
公衆端末４は、携帯端末２から投稿用データを受け取り、ＳＮＳサーバ６に接続して投稿用データを送信するための端末である。
公衆端末４は、公衆が集う場所に設けられ、誰でも利用可能な端末である。公衆端末４は、例えば、コンビニエンスストア等の店舗や、鉄道の駅に設置されている。公衆端末４は、平常時に、チケットを販売する機能や、写真を印刷する機能を有し、災害時には、ＳＮＳサーバ６の利用者のウェブページへの投稿を支援する機能を有する。
【００２０】
図２に示すように、公衆端末４は、制御部４０と、記憶部４２と、タッチパネルディスプレイ４４と、通信Ｉ／Ｆ部４８と、Ｒ／Ｗ（リーダライタ）部４９（リーダ部）とを備える。
制御部４０は、公衆端末４の全体を制御するＣＰＵである。制御部４０は、記憶部４２に記憶されているＯＳや、各種のアプリケーションプログラムを適宜読み出して実行することにより、上述したハードウェアと協働し、各種機能を実行する。
制御部４０は、ＮＦＣ通信部４０ａ（受信部）と、外部ＡＰＩ（Ａｐｐｌｉｃａｔｉｏｎ  Ｐｒｏｇｒａｍ  Ｉｎｔｅｒｆａｃｅ）指示部４０ｂ（外部ＡＰＩ実行指令部）とを備える。
ＮＦＣ通信部４０ａは、Ｒ／Ｗ部４９との通信に関する制御を行う制御部であり、携帯端末２から投稿用データを受信する。
外部ＡＰＩ指示部４０ｂは、ＳＮＳサーバ６に接続して、ＳＮＳサーバ６の投稿ＡＰＩに指示する制御部である。投稿ＡＰＩは、投稿用データに基づいてＳＮＳサーバ６の利用者のウェブページに投稿させるためのプログラムである。
これらの各機能の詳細については、後述する。
【００２１】
記憶部４２は、公衆端末４の動作に必要なプログラム、データ等を記憶するためのハードディスク、半導体メモリ素子等の記憶装置である。記憶部４２は、安否情報投稿プログラムを記憶している。安否情報投稿プログラムは、近距離無線通信により携帯端末２から投稿用データを受信して、ＳＮＳサーバ６に送信するためのプログラムである。
タッチパネルディスプレイ４４は、液晶パネル等で構成される表示部としての機能と、利用者からの指等によるタッチ入力を検出する入力部としての機能とを有する。
通信Ｉ／Ｆ部４８は、通信ネットワークＮを介した通信を行うためのインタフェース部である。通信Ｉ／Ｆ部２８は、ＳＮＳサーバ６等との通信に用いられる。
Ｒ／Ｗ部４９は、携帯端末２との間で近距離無線通信を行う。Ｒ／Ｗ部４９は、ＮＦＣチップ４５と、ＮＦＣ用アンテナ４６とを備える。
ＮＦＣチップ４５は、ＮＦＣの規格により作成されたＩＣチップである。ＮＦＣチップ４５は、ＮＦＣ規格に準じてＮＦＣ用アンテナ４６により、携帯端末２との間で近距離無線通信を行う。
ＮＦＣ用アンテナ４６は、ループアンテナである。ＮＦＣ用アンテナ４６は、公衆端末４と携帯端末２との間で通信するためのものである。
【００２２】
ＳＮＳサーバ６は、ＳＮＳのウェブサーバである。ＳＮＳは、例えば、ｍｉｘｉ（登録商標）、ＴＷＩＴＴＥＲ（登録商標）、ＦＡＣＥＢＯＯＫ（登録商標）等のコミュニティ型のウェブサイトを提供する。
ＳＮＳサーバ６は、制御部６０と、記憶部６２とを備える。
制御部６０は、ＳＮＳサーバ６の全体を制御するＣＰＵである。制御部６０は、記憶部６２に記憶されているＯＳや、各種のアプリケーションプログラムを適宜読み出して実行することにより、上述したハードウェアと協働し、各種機能を実行する。
制御部６０は、公衆端末４からの投稿ＡＰＩの指示に応じて、投稿ＡＰＩを起動して、ＳＮＳサーバ６の利用者のウェブページに投稿する処理を行う。制御部６０の詳細な処理は、後述する。
記憶部６２は、制御部６０を実行するために必要なプログラム、データ等を記憶するためのハードディスク、半導体メモリ素子等の記憶装置である。
【００２３】
次に、情報書込システム１００の処理について説明する。情報書込システム１００の処理は、携帯端末２で行う事前処理と、携帯端末２と、公衆端末４と、ＳＮＳサーバ６とで行う情報書込処理とがある。
まずは、事前処理について説明する。事前処理は、予め平常時等に、利用者が携帯端末２を操作して、外部メモリ１に投稿内容を登録する処理である。
図４は、第１実施形態に係る情報書込システム１００の事前処理のフローチャートである。
図５は、第１実施形態に係る外部メモリ１のセキュアチップ部１２に記憶する内容を説明するための図である。
図４のステップＳ（以下、単に「Ｓ」という。）１において、携帯端末２の制御部２０は、通信ネットワークＮを介して接続されているアプリ配信サーバ（図示せず）から、情報書込プログラム２２ｂをダウンロードする。制御部２０は、情報書込プログラム２２ｂを、記憶部２２に記憶する。また、制御部２０は、情報書込プログラム２２ｂを起動させるためのアイコンを、ホーム画面に配置する。
なお、携帯端末２に情報書込プログラム２２ｂが予めインストールされている場合には、Ｓ１の処理は、不要である。
Ｓ２において、制御部２０は、情報書込プログラム２２ｂを起動する。起動は、情報書込プログラム２２ｂのダウンロードが終了すると自動的に行われる。なお、ホーム画面のアイコンを利用者がタッチすることで、情報書込プログラム２２ｂを起動してもよい。
Ｓ３において、制御部２０（画面出力部２０ｄ）は、メニュー画面（図示せず）を、タッチパネルディスプレイ２４に出力する。メニュー画面は、投稿内容や投稿先を予め設定する「事前登録」か、登録済の投稿内容をＳＮＳサーバ６の利用者のウェブページに書き込む「投稿」かのいずれかを利用者に選択させるための画面である。
【００２４】
利用者により「事前登録」が選択されることで、Ｓ４において、制御部２０（画面出力部２０ｄ）は、利用者に投稿用データを入力させるための事前登録用画面の画面データを、タッチパネルディスプレイ２４に出力する。利用者は、例えば、事前登録用画面に表示された複数のＳＮＳから１つを選択して、ログイン情報と、メッセージデータとを入力する。
利用者が、事前登録用画面から投稿用データを入力して、登録するためのボタンを選択することで、Ｓ５において、制御部２０は、投稿用データを受け付ける。
Ｓ６において、制御部２０は、外部メモリ１に対して投稿用データ及びメモリ用アプリを出力する。メモリ用アプリは、外部メモリ１の制御部１０で実行するプログラムであり、セキュアチップ部１２及びフラッシュメモリ部１４にデータを書き込んだり、セキュアチップ部１２及びフラッシュメモリ部１４からデータを読み出したりする。
Ｓ７において、外部メモリ１の制御部１０は、投稿用データ及びメモリ用アプリを受け付ける。
Ｓ８において、制御部１０は、セキュアチップ部１２に投稿用データ及びメモリ用アプリを書き込む。その後、携帯端末２の制御部２０は、外部メモリ１の制御部１０から受け付けたコマンドにより、セキュアチップ部１２への書き込みが正常に行われたことを確認し、本処理を終了する。
【００２５】
図５は、セキュアチップ部１２に書き込まれた投稿用データ１３（１３ａ，１３ｂ）の例を示す。制御部１０は、ＳＮＳごとに投稿用データ１３を記憶する。
投稿用データ１３は、ＩＤ及びパスワードからなるログイン情報と、ＳＮＳサーバ６のＡＰＩのＵＲＩ（接続先情報）と、メッセージデータ（投稿内容情報）とを有する。
ログイン情報は、利用者のＳＮＳに対応するＩＤ及びパスワードである。
メッセージデータは、例えば、「無事です。０９０−ｘｘｘｘ−ｘｘｘｘ」のような、ＳＮＳサーバ６の利用者のウェブページに投稿するメッセージである。
投稿用データ１３ａと、投稿用データ１３ｂとは、例えば、投稿用データ１３ａがＴＷＩＴＴＥＲ用であり、投稿用データ１３ｂがＦＡＣＥＢＯＯＫ用である、というように、ＳＮＳが異なる。このように、投稿用データ１３は、ＳＮＳごとに複数有することができる。そして、ＳＮＳごとに異なるメッセージを投稿することができる。
【００２６】
次に、災害時にＳＮＳサーバ６の利用者のウェブページに投稿する情報書込処理について説明する。
図６及び図７は、第１実施形態に係る情報書込システム１００の情報書込処理のフローチャートである。
図６のＳ２１において、利用者が最寄りの公衆端末４が設置された場所に行き、公衆端末４のメニュー画面（図示せず）から安否情報投稿プログラムを選択することで、公衆端末４の制御部４０は、安否情報投稿プログラムを起動する。
Ｓ２２において、制御部４０は、公衆端末４のＲ／Ｗ部４９の設置位置に携帯端末２をかざす旨の指示を、タッチパネルディスプレイ４４に出力する。
Ｓ２３において、公衆端末４の制御部４０は、ＮＦＣチップ４５とＮＦＣ用アンテナ４６とにより携帯端末２との間での近距離無線通信の確立を要求する。公衆端末４と携帯端末２との間での近距離無線通信は、ＮＦＣのピアツーピア（Ｐ２Ｐ）の機能を利用する。
他方、Ｓ２４において、利用者が携帯端末２を操作して、例えば、ホーム画面に配置されたアイコンを選択することで、携帯端末２の制御部２０は、情報書込プログラム２２ｂを起動させる。
Ｓ２５において、制御部２０（画面出力部２０ｄ）は、メニュー画面（図示せず）を、タッチパネルディスプレイ２４に出力する。
【００２７】
利用者により「投稿」が選択されることで、Ｓ２６において、制御部２０は、ＮＦＣチップ２５と、ＮＦＣ用アンテナ２６とを用いて、公衆端末４からの近距離無線通信の確立要求を受信可能な待機状態にする。
Ｓ２７において、制御部２０は、公衆端末４からの近距離無線通信の確立要求を受信したことに対応した応答を送信する。以降、公衆端末４と、携帯端末２との間は、近距離無線通信により通信をする。
Ｓ２８において、公衆端末４の制御部４０は、投稿用データの読み出しを要求する。
Ｓ２９において、携帯端末２の制御部２０（要求受付部２０ａ）は、読み出し要求を受け付ける。
Ｓ３０において、制御部２０（メモリ読出部２０ｂ）は、外部メモリ１に対して読み出しコマンドを出力する。
Ｓ３１において、外部メモリ１の制御部１０は、メモリ用アプリを用いて、セキュアチップ部１２に記憶されている投稿用データを、携帯端末２に対して出力する。その後、制御部１０は、本処理を終了する。
【００２８】
図７のＳ３２において、携帯端末２の制御部２０（ＮＦＣ出力部２０ｃ）は、投稿用データを公衆端末４に送信する。具体的には、制御部２０は、（ＮＦＣ出力部２０ｃ）は、投稿用データをＮＦＣチップ２５に出力することで、ＮＦＣ用アンテナ２６を介して、投稿用データを公衆端末４に送信する。その後、制御部２０は、本処理を終了する。
Ｓ３３において、公衆端末４の制御部４０（ＮＦＣ通信部４０ａ）は、Ｒ／Ｗ部４９を介して投稿用データを受信する。
Ｓ３４において、制御部４０（外部ＡＰＩ指示部４０ｂ）は、所定のＡＰＩに投稿用データ及び公衆端末４の位置データを送信する。具体的には、制御部４０（外部ＡＰＩ指示部４０ｂ）は、ブラウザ機能を用いて、ＳＮＳサーバ６のＡＰＩのＵＲＩに接続し、ログイン情報と、メッセージデータと、公衆端末４の位置データとを送信する。公衆端末４の位置データは、例えば、住所や、店舗名であり、予め公衆端末４の記憶部４２に記憶されている。
Ｓ３５において、ＳＮＳサーバ６の制御部６０は、投稿用データ及び位置データを受信する。また、制御部６０は、呼び出されたＡＰＩを実行する。
Ｓ３６において、制御部６０は、受信したログイン情報を用いて利用者認証処理を行う。
Ｓ３７において、制御部６０は、認証が成功した場合には、メッセージデータを登録することで、認証した利用者のウェブページに、メッセージを投稿する。
Ｓ３８において、制御部６０は、ＳＮＳサーバ６での処理結果を、公衆端末４に送信する。その後、制御部６０は、本処理を終了する。
Ｓ３９において、公衆端末４の制御部４０は、処理結果を受信し、タッチパネルディスプレイ４４に処理結果を表示する。その後、制御部４０は、本処理を終了する。
【００２９】
利用者が、上述の情報書込処理を行うことで、ＳＮＳサーバ６の利用者のウェブページには、「無事です。・・・（××駅前○○店）」との内容と、書き込み日時とが書き込まれる。そして、このような情報書込処理がされた後に、利用者の安否を知りたい者（家族、知人等）は、例えば、パーソナルコンピュータ（図示せず）からＳＮＳサーバ６に接続して、利用者のウェブページを見ることで、利用者の安否を確認できる。
【００３０】
このように、第１実施形態によれば、以下のような効果がある。
（１）携帯端末２は、外部メモリ１に記憶されている投稿用データを読み出して、公衆端末４のＲ／Ｗ部４９に出力するので、情報書込システム１００は、公衆端末４がＳＮＳサーバ６の利用者のウェブページに投稿するための投稿用データを、携帯端末２から取得できる。よって、利用者が、ＳＮＳに投稿するのに必要な情報を予め用意しておくことができ、投稿時の入力作業が軽減でき、公衆端末４での操作を短時間で行える。特に、予め用意したＳＮＳに投稿する安否情報を利用することで、災害時に入力の手間をとらせず、迅速に利用者の安否情報を送信できる。また、公衆端末４を使用するために長時間並ばずに済む。
（２）情報書込システム１００は、ＳＮＳサーバ６を利用するので、システム構築の手間がかからずに済み、システムの管理及び維持のために、既存のＳＮＳサーバ６の人員で済むので、新たに専用に人員を配置する必要がない。
（３）携帯端末２は、近距離通信により公衆端末４と通信して、投稿用データを出力するので、通信ネットワークＮを使用した場合と比較して、携帯端末２のバッテリーの消耗を少なくできる。特に、災害時には、携帯端末２とＳＮＳサーバ６との間の通信ネットワークＮの使用ができない場合が想定されるので、使用可能なインフラストラクチャーを利用して、ＳＮＳに投稿できる。
【００３１】
（４）携帯端末２は、投稿用データを外部メモリ１に書き込むための入力用画面をタッチパネルディスプレイ２４に出力するので、利用者は、入力用画面にあわせて情報を入力すればよく、簡単に投稿用データを外部メモリ１に書き込みできる。
（５）情報書込システム１００は、ログイン情報のような、他人に知られたくない個人情報を、外部メモリ１のセキュアチップ部１２に記憶することで、外部メモリ１が携帯端末２から不正に取り外されて使用された場合であっても、個人情報が保護される。
（６）情報書込システム１００は、外部メモリ１に、複数のＳＮＳに投稿するための複数の投稿用データを、ＳＮＳの単位で記憶できる。よって、利用者が複数のＳＮＳを使用している場合には、それら複数のＳＮＳに対応した情報を外部メモリ１に記憶させることで、公衆端末４と１回通信すれば、複数のＳＮＳの利用者のウェブページに投稿させることができる。
（７）情報書込システム１００は、公衆端末４の位置データを含めてＳＮＳの利用者のウェブページに投稿する。よって、公衆端末４に記憶された位置データを使用することで、利用者の投稿時の位置を投稿できる。
（８）情報書込システム１００は、携帯端末２及び公衆端末４の各々が有するＮＦＣチップ２５及び４５を用いて近距離無線通信をするので、既存のＮＦＣチップ２５及び４５の機能を用いて、簡単な構成で通信することができる。
【００３２】
（第２実施形態）
第２実施形態では、公衆端末を用いたＳＮＳの利用者のウェブページへの投稿を、利用者自身の携帯端末から外部メモリを取り外して、他人の携帯端末に装着することで、他人の携帯端末を借りて行うものを説明する。なお、以降の説明において、上述した第１実施形態と同様の機能を果たす部分には、同一の符号又は末尾に同一の符号を付して、重複する説明を適宜省略する。
図８は、第２実施形態に係る情報書込システム２００の全体構成を示す図である。
図９は、第２実施形態に係る情報書込システム２００の事前処理のフローチャートである。
図８（１）は、事前処理の際の情報書込システム２００のシステム構成であり、外部メモリ２０１と、携帯端末２０２Ａとにより処理が行われる。携帯端末２０２Ａは、利用者が所有する端末である。
【００３３】
ここで、情報書込システム２００の事前処理について説明する。事前処理は、第１実施形態と同様に、予め平常時等に、利用者自身の携帯端末２０２Ａを操作して投稿内容を登録する処理である。
図９のＳ１からＳ５までは、第１実施形態（図４）と同様である。
Ｓ２０６において、携帯端末２０２Ａの制御部（図２の制御部２０参照）は、投稿用データを暗号化する。なお、暗号化及び復号のためのプログラムは、情報書込プログラム（図２の情報書込プログラム２２ｂ参照）に含まれている。
Ｓ２０７において、携帯端末２０２Ａの制御部（プログラム記憶制御部）は、外部メモリ２０１に対して暗号化した投稿用データ及びメモリ用アプリと、情報書込プログラムとを出力する。
Ｓ２０８において、外部メモリ２０１の制御部（図２の制御部１０参照）は、暗号化した投稿用データ及びメモリ用アプリと、情報書込プログラムとを受け付ける。
Ｓ２０９において、外部メモリ２０１の制御部は、セキュアチップ部（図２のセキュアチップ部１２参照）に暗号化した投稿用データ及びメモリ用アプリを書き込む。
Ｓ２１０において、外部メモリ２０１の制御部は、フラッシュメモリ部（図２のフラッシュメモリ部１４参照）に情報書込プログラムを記憶する。その後、携帯端末２０２Ａの制御部は、外部メモリ２０１の制御部から受け付けたコマンドにより、セキュアチップ部及びフラッシュメモリ部への書き込みが正常に行われたことを確認し、本処理を終了する。
【００３４】
次に、図８（２）は、災害時の情報書込システム２００のシステム構成を示す。情報書込システム２００は、外部メモリ２０１と、携帯端末２０２Ａ，２０２Ｂと、公衆端末４と、ＳＮＳサーバ６とを備える。
利用者の携帯端末２０２Ａが、バッテリーが切れている等の場合には、携帯端末２０２Ａと公衆端末４との間の近距離無線通信をすることができず、ＳＮＳサーバ６の利用者のウェブページに投稿できない。その場合に、利用者は、バッテリーの残容量が多い他人の携帯端末２０２Ｂを借りることで、投稿を行うことができる。利用者は、携帯端末２０２Ａに装着されている外部メモリ２０１を取り外して、他人の携帯端末２０２Ｂに外部メモリ２０１を装着する。そして、携帯端末２０２Ｂで情報書込プログラムを実行する。
【００３５】
図１０及び図１１は、第２実施形態に係る情報書込システム２００の情報書込処理のフローチャートである。
他人の携帯端末２０２Ｂには、利用者の外部メモリ２０１が装着済である。
図１０のＳ２１からＳ２３までは、第１実施形態（図６）と同様である。
Ｓ２１１において、携帯端末２０２Ｂの制御部（図２の制御部２０参照）は、外部メモリ２０１のフラッシュメモリ部を参照し、情報書込プログラムの読出指示を行う。
Ｓ２１２において、外部メモリ２０１の制御部は、情報書込プログラムを出力することで、Ｓ２４において、携帯端末２０２Ｂの制御部は、情報書込プログラムを起動する。
その後、Ｓ２５からＳ３０までは、第１実施形態（図６）と同様である。
Ｓ２３１において、外部メモリ２０１の制御部は、セキュアチップ部に記憶されている暗号化した投稿用データを、携帯端末２０２Ｂに対して出力する。その後、外部メモリ２０１の制御部は、本処理を終了する。
図１１のＳ２３２ａにおいて、携帯端末２０２Ｂの制御部は、暗号化した投稿用データを復号する。
Ｓ２３２ｂにおいて、携帯端末２０２Ｂの制御部は、復号した投稿用データを公衆端末４に送信する。その後、携帯端末２０２Ｂの制御部は、本処理を終了する。
Ｓ３３からＳ３９までは、第１実施形態（図７）と同様である。
【００３６】
このように、第２実施形態によれば、以下のような効果がある。
（１）情報書込システム２００は、外部メモリ２０１に情報書込プログラムを記憶することで、他人の携帯端末２０２Ｂに情報書込プログラムがインストールされていない場合であっても、外部メモリ２０１を装着することで、情報書込プログラムを使用できる。よって、例えば、利用者自身の携帯端末２０２Ａのバッテリーが不足して、情報書込プログラムを起動できない場合であっても、予め外部メモリ２０１に書き込んだ投稿用データを、他人の携帯端末２０２Ｂを用いて公衆端末４に送信することで、ＳＮＳの利用者のウェブページに投稿できる。
（２）情報書込システム２００は、外部メモリ２０１に記憶する投稿用データを暗号化するので、利用者の携帯端末２０２Ａから取り外した場合に、紛失等しても投稿用データにアクセスされずにすみ、セキュリティ性を向上できる。
【００３７】
（第３実施形態）
第３実施形態では、公衆端末を用いた投稿を、外部メモリを直接公衆端末に装着することで行うものを説明する。
図１２は、第３実施形態に係る情報書込システム３００の全体構成を示す図である。
情報書込システム３００は、外部メモリ１と、携帯端末２と、公衆端末３０４と、ＳＮＳサーバ６とを備える。
公衆端末３０４は、外部メモリ１を着脱可能に装着するための部材であるスロット部（図示せず）を備える。
公衆端末３０４の記憶部（図２の記憶部４２参照）は、安否情報投稿プログラムを記憶している。安否情報投稿プログラムは、さらに、外部メモリ１から投稿用データを読み出す処理をするためのプログラムである。
利用者は、携帯端末２から外部メモリ１を取り外し、公衆端末３０４のスロット部に外部メモリ１を装着させる。そうすることで、公衆端末３０４は、外部メモリ１に記憶された投稿用データを、ＳＮＳサーバ６の利用者のウェブページに投稿できる。
【００３８】
次に、情報書込システム３００の処理について説明する。
事前処理は、第１実施形態と同様である。
図１３は、第３実施形態に係る情報書込システム３００の情報書込処理のフローチャートである。
Ｓ２１は、第１実施形態（図６）と同様である。
ここで、利用者が外部メモリ１を公衆端末３０４に装着することで、Ｓ３２２において、公衆端末３０４の制御部（図２の制御部４０参照）は、外部メモリ１を検出する。
Ｓ３２３において、公衆端末３０４の制御部は、外部メモリ１に対して読み出しコマンドを出力する。
Ｓ３２４において、外部メモリ１の制御部は、セキュアチップ部に記憶されている投稿用データを、公衆端末３０４に対して出力する。その後、外部メモリ１の制御部は、本処理を終了する。
その後の公衆端末３０４とＳＮＳサーバ６の処理であるＳ３４からＳ３９までは、第１実施形態と同様である。
【００３９】
このように、第３実施形態によれば、以下のような効果がある。
（１）情報書込システム３００は、携帯端末２から着脱可能な外部メモリ１に投稿用データを記憶し、公衆端末３０４がスロット部を備えるので、外部メモリ１を公衆端末３０４のスロット部に装着することで、バッテリー切れ等により携帯端末２が使用できない状態であっても、ＳＮＳの利用者のウェブページに投稿できる。
【００４０】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００４１】
（変形形態）
（１）第１及び第２実施形態では、携帯端末と、公衆端末とのＩＣチップは、ＮＦＣチップを有するものとして説明した。しかし、ＩＣチップは、ＮＦＣチップ以外であってもよい。例えば、ＵＩＭ（Ｕｓｅｒ  Ｉｄｅｎｔｉｔｙ  Ｍｏｄｕｌｅ）であってもよいし、マイクロＳＤカード等の取り外し可能な記憶媒体であってもよいし、取り外しが不可のモジュールであってもよい。
（２）各実施形態では、投稿用データを外部メモリのセキュアチップ部に書き込むものとして説明した。しかし、投稿用データの一部として、例えば、ログイン情報のみをセキュアチップ部に書き込み、その他はフラッシュメモリ部に書き込むようにしてもよいし、投稿用データの全てをフラッシュメモリ部に書き込んでもよい。
（３）各実施形態では、公衆端末は、災害時にＳＮＳサーバの利用者のウェブページへの投稿を支援する機能を有するものとして説明した。災害時には、公衆端末を設置する店舗等の管理者によって機能の切り替えを行うことで、公衆端末を、ＳＮＳサーバの利用者のウェブページへの投稿を支援する機能のみを有するものにしてもよい。
【符号の説明】
【００４２】
１，２０１  外部メモリ
２，２０２Ａ，２０２Ｂ  携帯端末
４，３０４  公衆端末
６    ＳＮＳサーバ
１０，２０，４０，６０  制御部
１２  セキュアチップ部
２０ａ  要求受付部
２０ｂ  メモリ読出部
２０ｃ  ＮＦＣ出力部
２０ｄ  画面出力部
２０ｅ  メモリ書込部
２２ｂ  情報書込プログラム
２５，４５  ＮＦＣチップ
４０ａ  ＮＦＣ通信部
４０ｂ  外部ＡＰＩ指示部
４９  Ｒ／Ｗ部
１００，２００，３００  情報書込システム
【図１】
2014130472.tif 000003
【図２】
2014130472.tif 000004
【図３】
2014130472.tif 000005
【図４】
2014130472.tif 000006
【図５】
2014130472.tif 000007
【図６】
2014130472.tif 000008
【図７】
2014130472.tif 000009
【図８】
2014130472.tif 000010
【図９】
2014130472.tif 000011
【図１０】
2014130472.tif 000012
【図１１】
2014130472.tif 000013
【図１２】
2014130472.tif 000014
【図１３】
2014130472.tif 000015